(57)【要約】【課題】軽量かつコンパクトで省エネルギー化も図れ、有機ＥＬディスプレイの曲面表示により、フラットパネルに比べて商品の訴求効果が高まる商品情報表示パネルを提供する。【解決手段】商品情報表示パネル１０は、商品情報Ｄを表示する湾曲自在なシート状の有機ＥＬディスプレイ１１と、商品陳列棚１２の棚板１３に取り付けられ、かつ有機ＥＬディスプレイ１１が展張されるパネル本体１４とを備えている。これにより、軽量かつコンパクトで省エネルギー化も図れ、シート状の有機ＥＬディスプレイ１１の曲面表示によって、従来のフラットパネルに比べて商品Ａの訴求効果を高めることができる。【選択図】図１
0003203221.tif 000002
【実用新案登録請求の範囲】
【請求項１】
商品情報を表示する湾曲自在なシート状の有機ＥＬディスプレイと、
商品陳列棚の棚板に取り付けられ、かつ前記有機ＥＬディスプレイが装着されるパネル本体とを備えたことを特徴とする商品情報表示パネル。
【請求項２】
有機ＥＬディスプレイは横長な短冊状のものであることを特徴とする請求項１に記載の商品情報表示パネル。
【請求項３】
前記パネル本体は、前記有機ＥＬディスプレイが着脱自在に装着されるフェイスプレートを有したことを特徴とする請求項１または請求項２に記載の商品情報表示パネル。
【請求項４】
前記パネル本体は、前記有機ＥＬディスプレイが着脱自在に装着されるフェイスプレートと、該フェイスプレートの上辺部に設けられて、前記棚板の前板に掛止されるフック部を有したことを特徴とする請求項１または請求項２に記載の商品情報表示パネル。
【請求項５】
前記棚板は磁性体からなり、
前記パネル本体は、前記有機ＥＬディスプレイが着脱自在に装着されるフェイスプレートと、該フェイスプレートの上辺部に設けられて、該フェイスプレートを前記棚板の裏面に磁着するマグネットとを有したことを特徴とする請求項１または請求項２に記載の商品情報表示パネル。
【請求項６】
前記有機ＥＬディスプレイは、有線または無線ＬＡＮを介して、離間配置された情報発信手段から送られた前記商品情報を前記有機ＥＬディスプレイに表示させる表示手段を有したことを特徴とする請求項１〜請求項５のうち、何れか１項に記載の商品情報表示パネル。
【請求項７】
前記有機ＥＬディスプレイは、通信回線網を通じてサーバから送信された前記商品情報を受信する受信部と、
該受信部により受信した前記商品情報を前記有機ＥＬディスプレイに表示させる表示手段とを有したことを特徴とする請求項１〜請求項５のうち、何れか１項に記載の商品情報表示パネル。
【請求項８】
前記有機ＥＬディスプレイは、通信回線網を通じてクラウドコンピューティングのサーバから送信された前記商品情報を受信する受信部と、
該受信部により受信した前記商品情報を前記有機ＥＬディスプレイに表示させる表示手段とを有したことを特徴とする請求項１〜請求項５のうち、何れか１項に記載の商品情報表示パネル。
【考案の詳細な説明】
【技術分野】
【０００１】
この考案は、例えば店舗の商品陳列棚に着脱可能で、かつ棚板に陳列された商品の情報を表示する商品情報表示パネルに関する。
【背景技術】
【０００２】
従来、商品陳列棚に着脱自在に取り付けられ、棚板に陳列された商品の価格等を表示するものとして、例えば特許文献１の「情報処理装置及びプログラム」に記載されたデジタルサイネージ装置（商品情報表示パネル）などが知られている。
特許文献１のデジタルサイネージ装置は、店舗内の商品陳列棚に設置され、通信ネットワークを介してストアサーバ装置から受信したコンテンツを再生し、商品の広告、価格、説明等の商品情報を液晶ディスプレイやプラズマディスプレイに動画像または静止画像で表示する装置である。
【０００３】
しかしながら、特許文献１のデジタルサイネージ装置にあっては、商品情報を画面に表示する液晶ディスプレイやプラズマディスプレイが厚肉で重量が嵩張り、消費電力も高いという課題があった。
【先行技術文献】
【特許文献】
【０００４】
【特許文献１】特開２０１３−１１４０４３号公報
【考案の概要】
【考案が解決しようとする課題】
【０００５】
本考案は、このような従来の問題点に艦がみなされたもので、軽量かつコンパクトで、曲面表示により商品の訴求効果を高め、省エネルギー化も図ることができる商品情報表示パネルを提供することを目的としている。
【課題を解決するための手段】
【０００６】
本考案は、商品情報を表示する湾曲自在なシート状の有機ＥＬディスプレイと、商品陳列棚の棚板に取り付けられ、かつ前記有機ＥＬディスプレイが装着されるパネル本体とを備えたことを特徴とする商品情報表示パネルである。
さらに、本考案の商品情報表示パネルは、有機ＥＬディスプレイを横長な短冊状としたものでもある。
【０００７】
さらにまた、本考案の商品情報表示パネルは、パネル本体が、有機ＥＬディスプレイが着脱自在に装着されるフェイスプレートを有したものでもある。
【０００８】
また、本考案の商品情報表示パネルは、パネル本体が、有機ＥＬディスプレイが着脱自在に装着されるフェイスプレートと、このフェイスプレートの上辺部に設けられて、棚板の前板に掛止されるフック部とを有したものでもある。
【０００９】
さらに、本考案の商品情報表示パネルは、棚板が磁性体からなり、パネル本体が、有機ＥＬディスプレイが着脱自在に装着されるフェイスプレートと、フェイスプレートの上辺部に設けられて、フェイスプレートを棚板の裏面に磁着するマグネットとを有したものでもある。
【００１０】
さらにまた、本考案の商品情報表示パネルは、有機ＥＬディスプレイが、有線または無線ＬＡＮを介して、離間配置された情報発信手段から送られた前記商品情報を前記有機ＥＬディスプレイに表示させる表示手段を有したものでもある。
【００１１】
また、本考案の商品情報表示パネルは、有機ＥＬディスプレイが、通信回線網を通じてサーバから送信された商品情報を受信する受信部と、受信部により受信した商品情報を有機ＥＬディスプレイに表示させる表示手段とを有したしたものでもある。
【００１２】
さらに、本考案の商品情報表示パネルは、有機ＥＬディスプレイが、通信回線網を通じてクラウドコンピューティングのサーバから送信された商品情報を受信する受信部と、受信部により受信した商品情報を有機ＥＬディスプレイに表示させる表示手段とを有したしたものでもある。
【考案の効果】
【００１３】
請求項１に記載の考案の商品情報表示パネルによれば、商品陳列棚の棚板に、有機ＥＬディスプレイが装着されたパネル本体を取り付けることで、その棚板に陳列された商品の情報（商品価格、商品説明、商品広告等）を顧客に動画像または静止画像により知らせることができる。また、従来の液晶ディスプレイやプラズマディスプレイに比べて、軽量かつコンパクトで省エネルギー化も図ることができる。さらに、シート状の有機ＥＬディスプレイを採用したことから曲面表示が可能であり、これによりフラットパネルに比べて商品の訴求効果を高めることができる。
【図面の簡単な説明】
【００１４】
【図１】この考案の実施例１に係る商品情報表示パネルの使用状態の斜視図である。
【図２】この考案の実施例１に係る商品情報表示パネルの使用状態の要部拡大断面図である。
【図３】この考案の実施例１に係る別の形態の商品情報表示パネルの要部拡大断面図である。
【図４】この考案の実施例１に係るまた別の商品情報表示パネルの要部拡大断面図である。
【図５】この考案の実施例２に係る商品情報表示パネルの使用状態の斜視図である。
【考案を実施するための形態】
【００１５】
以下、この考案の実施例を具体的に説明する。
【実施例】
【００１６】
図１において、１０はこの考案の実施例１に係る商品情報表示パネルで、この商品情報表示パネル１０は、商品情報Ｄを表示する湾曲自在なシート状の有機ＥＬディスプレイ１１と、商品陳列棚１２の棚板１３に取り付けられ、かつ有機ＥＬディスプレイ１１が装着されるパネル本体１４とを備えている。
【００１７】
以下、これらの構成体を具体的に説明する。
図１および図２に示すように、有機ＥＬディスプレイ１１は、有機エレクトロルミネッセンス素子からなり、陳列した商品の価格、商品名、規格、バーコードの他、商品の履歴遡及情報、販促情報、広告、生活情報等の任意の商品情報Ｄを表示する。
有機エレクトロルミネッセンス素子は、横長な短冊状の基板上に設けた陽極と陰極の間に正孔輸送層、発光層、電子輸送層が順次積層されたフレキシブルなシート材である。有機エレクトロルミネッセンス素子の構成は、その他、陽極と陰極の間に順次、（１）陽極バッファー層と正孔輸送層と発光層とが積層されたもの、（２）陽極バッファー層と発光層と電子輸送層とが積層されたもの、（３）陽極バッファー層と正孔輸送層と発光層と電子輸送層とが積層されたもの、（４）陽極バッファー層と正孔輸送性化合物と、発光性化合物と、電子輸送性化合物を含む層とが積層されたものなどでもよい。また、ここでの発光層は１層であるが、複数層でもよい。さらに、陽極バッファー層を用いず、直接的に正孔輸送性化合物を含む層が陽極の表面に接してもよい。
【００１８】
有機ＥＬディスプレイ１１の長さ方向の一端部の裏面には、所望の商品情報を有機ＥＬディスプレイ１１に表示させる表示手段Ｈが設けられている。表示手段（回路部）Ｈには、短尺なケーブル（有線）１５を介して、クラウドコンピューティングのサーバ１６からインターネット（通信回線網）１７を通して送信された商品情報Ｄを受信する無線モジュール（受信部）１８が電気的に接続されている。なお、クラウドコンピューティングのサーバ１６に限らず、遠隔地に設けられた特定の管理サーバ１６からインターネット１７を経由して無線モジュール１８に送信された商品情報Ｄを受信するようにしてもよい（図示せず）。
【００１９】
前記パネル本体１４は、透明なアクリル樹脂を原料とした横長な射出成型品である。パネル本体１４は、平面視して横長な矩形状の底板１９と、底板１９の前端部から立ち上がった、断面円弧状に外方へ突出するフェイスプレート２０とを有する。フェイスプレート２０の厚さは、シート状の有機ＥＬディスプレイ１１を支持可能な剛性を有すればよいため、例えば数ｍｍ以下と薄い。
なお、パネル本体１４は、透明なアクリル樹脂に限定されるものではなく、可撓性を有する透明な樹脂製であればいかなるものでもよい。
底板１９は、棚前部に配置される短幅な前側部分底板１９ａと、前側部分底板１９ａから底板１９の前辺から立ち上がり、前板２１の厚さ分だけ棚後方へ離間した長幅な後側部分底板１９ｂとからなる。このうち、前側部分底板１９ａの後辺部からは、商品情報表示パネル１０の棚載置時に薄い鉄板からなる棚板１３の前板２１の前面側に配置され、かつ上端部がフェイスプレート２０の上辺部付近に一体的に連結された前側挟持板２２が立ち上げられている。また、後側部分底板１９ｂの前辺部からは、商品情報表示パネル１０の棚載置時に棚板１３の前板２１の後面側に配置され、かつ上端部がフェイスプレート２０の上辺部に一体的に連結された後側挟持板２３が立ち上げられている。
【００２０】
このフェイスプレート２０の下辺部の外面には、有機ＥＬディスプレイ１１の下辺部が掛止される断面Ｌ字形の下側掛止板片２０ａが一体形成され、フェイスプレート２０の上辺部の外面には、有機ＥＬディスプレイ１１の上辺部が掛止される断面横向きＬ字状の上側掛止板片２０ｂが一体形成されている。有機ＥＬディスプレイ１１は、その裏面がフェイスプレート２０の湾曲した外面に裏当てされた状態で、有機ＥＬディスプレイ１１の上下の辺部が、下側掛止板片２０ａと上側掛止板片２０ｂとに掛止される。これにより、有機ＥＬディスプレイ１１がパネル本体１４に展張状態で掛止される。
なお、パネル本体１４は、実施例１の形状のものに限定されない。
例えば、図３に示すように、底板１９に代えて、フェイスプレート２０の上辺部の内面に、棚板１３の前板２１に掛止する側面視して略逆Ｓの字のフック部２４を設けたものを採用してもよい。これにより、棚板１３への商品情報表示パネル１０の着脱が容易となる。
その他、図４に示すように、底板１９に代えて、フェイスプレート２０の上辺部の内面に、複数の凹部２５に収納された複数のマグネット２６を介して、鉄板製の棚板１３の前板２１の裏面に磁着される取り付けプレートの前辺部を連結したものを採用してもよい。
これにより、棚板１３の裏面を商品情報表示パネル１０の取り付け面とすることができ、棚板１３の上面への商品Ａの陳列が容易となる。また、マグネット２６を使用することで、棚板１３の裏面への商品情報表示パネル１０の着脱も容易である。
【００２１】
次に、図１および図２を参照して、この考案の実施例１に係る商品情報表示パネル１０の使用方法を説明する。
図１および図２に示すように、商品情報表示パネル１０を使用する際には、まずこれを商品陳列棚１２の棚板１３にセットする。具体的には、パネル本体１４の前側挟持板２２と後側挟持板２３との隙間に棚板１３の前板２１を差し込み、パネル本体１４の底板１９を棚板１３の上面に載置する。これにより、フェイスプレート２０に円弧状に展張された有機ＥＬディスプレイ１１が棚板１３の前方にせり出す。その結果、フラットでかつ棚板１３の上面の真上に配置された有機ＥＬディスプレイ１１に比べて、商品陳列棚１２の前を通る顧客に対してディスプレイ面を印象付けることができる。その後、この状態で、後側部分底板１９ｂの上面に多数の商品Ａ（ここでは化粧品）を陳列する。
【００２２】
次に、無線モジュール１８の電源を入れる。これにより、インターネット１７を経由してクラウドコンピューティングのサーバ１６から送信された商品情報Ｄの動画像または静止画像を、無線モジュール１８が受信する。その後、表示手段（回路部）Ｈは受信した画像信号に基づき、有機ＥＬディスプレイ１１に、例えば陳列された商品Ａの価格、商品名、規格、バーコードの他、商品Ａの履歴遡及情報、販促情報、広告、生活情報等の商品情報Ｄを、動画像または静止画像によって表示する。
このような構成を有する商品情報表示パネル１０を商品陳列棚１２の棚板１３に取り付けることで、商品陳列棚１２の近くにいる顧客に対して、棚板１３に陳列された商品Ａの情報を動画像または静止画像によって報知することができる。また、商品Ａの入れ替え時には、サーバ１６のメモリに記録された商品情報Ｄを変更するだけで、迅速な商品情報Ｄの自動変更が可能で、その変更に要する労力の低減、時間短縮およびコスト低減を図ることができる。
【００２３】
さらに、有機ＥＬディスプレイ１１を採用したことで、従来の液晶ディスプレイやプラズマディスプレイに比べて、軽量かつコンパクトで省エネルギー化も図ることができる。しかも、曲面表示が可能なことから、フラットパネルに比べて商品の訴求効果を高めることができる。
さらにまた、このように有機ＥＬディスプレイ１１は、通信回線網を通じてクラウドコンピューティングのサーバ１６から送信された商品情報Ｄを受信する方法を採用したため、比較的安価な設備投資で、新しい商品情報Ｄを迅速に同一店舗内または複数の店舗内の全ての商品陳列棚１２に対して配信することができるとともに、サーバ１６によって全ての有機ＥＬディスプレイ１１を一元管理することができる。
【００２４】
次に、図５を参照して、本考案の実施例２に係る商品情報表示パネルを説明する。
図５に示すように、実施例２の商品情報表示パネル１０Ａの特徴は、有機ＥＬディスプレイ１１の表示手段Ｈに、フラットケーブル（有線）１５Ａを介して、店舗の管理室３０に離間配置された管理パソコン（情報発信手段）３１から送られた商品情報Ｄを送信する、いわゆるスタンドアロン型のデジタルサイネージを採用した点である。商品情報Ｄは、管理パソコン３１に電気的に接続されたＵＳＢメモリＭに記憶されている。なお、ＤＶＤに記憶したものをＤＶＤプレーヤにより再生してもよい。
【００２５】
この商品情報表示パネル１０Ａを使用する際には、管理パソコンからＵＳＢメモリＭに記憶された動画像または静止画像の商品情報Ｄを、フラットケーブル１５Ａを介して表示手段Ｈに送信し、表示手段Ｈがその受信した画像信号に基づき、有機ＥＬディスプレイ１１の表面に、所望の商品情報Ｄを動画像または静止画像で表示する。
これにより、実施例１のものに比べて簡単かつ安価な設備で、商品陳列棚１２を対象としたデジタルサイネージを提供することができる。
その他の構成、作用および効果は実施例１から推測可能な範囲であるため、説明を省略する。
【００２６】
なお、商品情報表示パネルに人感センサを取り付け、顧客が商品情報表示パネルの前に到達した状態を人感センサが検知し、その検知信号を表示手段に送ることで、表示手段が有機ＥＬディスプレイの画面に表示されていた商品情報の動画像または静止画像の内容を変更したり、商品陳列棚の前を通過した顧客の人数をカウントするように構成してもよい。
また、商品情報表示パネルにモーションセンサ、顔認識センサおよびカメラを取り付け、これらのセンサの検知信号およびカメラの撮像信号を、離間配置されたデータ解析コンピュータ（クラウドコンピューティングのサーバでもよい）に送信し、そこで顧客の行動（視線の移動、顔の表情等）を分析し、その分析結果に基づき、表示手段が有機ＥＬディスプレイの画像に表示された商品情報の動画像または静止画像の内容を最適なものに変更してもよい。
その際、データ解析コンピュータに送られた信号に基づき、顧客が商品陳列棚の前に滞在した時間、顧客が手に取った商品名およびその回数を把握することができる。
【００２７】
また、商品陳列棚にＲＦＩＤリーダを設置するとともに、陳列された各商品にＦＲＩＤを取り付け、その商品がＲＦＩＤリーダの検知領域から外れた時、顧客がその商品に興味を持って手にした時または商品購入時と判断し、ＦＲＩＤリーダの送受信部から、離間配置された管理パソコンの送受信部に、その離脱した商品の商品名、個数、価格、離脱時間等の情報を、有線または無線（ネット回線を含む）を介して送信する。その後、管理パソコンでは、受信した商品情報に基づき、その商品に関連した各種の情報を関連情報選出手段が選出し、その選出された関連情報を管理パソコンから有機ＥＬディスプレイの表示手段に送信するようにしてもよい。
【産業上の利用可能性】
【００２８】
この考案の商品情報表示パネルは、商品陳列棚に陳列された商品の情報を表示するためのパネルとして有用な技術である。
【符号の説明】
【００２９】
１０，１０Ａ  商品情報表示パネル
１１  有機ＥＬディスプレイ
１２  商品陳列棚
１３  棚板
１４  パネル本体
１７  インターネット（通信回線網）
１５  ケーブル（有線）
１５Ａ  フラットケーブル（有線）
１６  サーバ（情報発信手段）
１８  無線モジュール（受信部）
２０  フェイスプレート
２１  前板
２４  フック部
２６  マグネット
３１  管理パソコン（情報発信手段）
Ａ  商品
Ｄ  商品情報
Ｈ  表示手段（回路部）
【図１】
0003203221.tif 000003
【図２】
0003203221.tif 000004
【図３】
0003203221.tif 000005
【図４】
0003203221.tif 000006
【図５】
0003203221.tif 000007